(57)【要約】【課題】引抜抵抗変動に非定常バルジングに依存しない変動分が含まれていても、湯面レベル変動を生じさせないような連続鋳造機モールド内湯面レベル制御装置および方法を提供することにある。【解決手段】モールド４内に注入される溶鋼量は、スライディングノズル６の開度により決まり、このスライディングノズル開度の調整は、スライディングノズル制御装置１２を介して油圧シリンダなどのアクチュエータ１５を駆動することにより行う。スライディングノズル開度制御は、モールド湯面レベルを検知する湯面レベル計から得られる信号と湯面レベル設定値の偏差信号に基づいて湯面レベルが一定になるように働くＰＩ制御器１１の出力と、信号処理装置１３からの出力とが加算され、スライディングノズル制御装置１２に入力されスライディングノズル開度設定値を変更することで実現される。【選択図】図１
2005305544.tif 000002
【特許請求の範囲】
【請求項１】
連続鋳造機のモールド内溶融金属の湯面レベルを検出する湯面レベル計と、
検出された湯面レベル信号に基づいて、タンディッシュに設けられたスライディングノズルの開度指令を出力するＰＩ制御器と、
その開度指令によりスライディングノズルの開度を調整するスライディングノズル制御器とを有する溶融金属の湯面レベルを制御するための連続鋳造機モールド内湯面レベル制御装置において、
複数のピンチロールのトルク信号を検出するトルク検出器と、
前記湯面レベル信号に基づき、複数のピンチロールトルク信号の中から特定のピンチロールトルク信号を選択し、
該選択されたピンチロールトルク信号に基づき、前記開度指令に加算するための開度補正信号を演算・出力する信号処理装置と、
を有することを特徴とする連続鋳造機モールド内湯面レベル制御装置。
【請求項２】
請求項１に記載の連続鋳造機モールド内湯面レベル制御装置において、
前記信号処理装置は、湯面レベル信号から特定周期の非定常バルジング性湯面変動周波数を検出する湯面変動周波数検出手段と、
複数のピンチロールトルク信号から前記検出された湯面変動周波数成分を取り出すフィルタ手段と、
該取り出されたピンチロールトルク信号と前記湯面レベル信号の相関関数が最大となるピンチロールトルク信号を選択するピンチロールトルク信号選択手段と、
を有することを特徴とする連続鋳造機モールド内湯面レベル制御装置。
【請求項３】
請求項１または請求項２のいずれか１項に記載の連続鋳造機モールド内湯面レベル制御装置において、
前記信号処理装置は、
前記選択されたピンチロールトルク信号に、位相調整およびゲイン乗算を行い、前記開度指令に加算するための開度補正信号を演算・出力する開度補正信号演算手段を有することを特徴とする連続鋳造機モールド内湯面レベル制御装置。
【請求項４】
請求項１ないし請求項３のいずれか１項に記載の連続鋳造機モールド内湯面レベル制御装置において、
前記信号処理装置は、
前記開度指令に加算するための開度補正信号の要否を判断し、出力することを特徴とする連続鋳造機モールド内湯面レベル制御装置。
【請求項５】
連続鋳造機のモールド内溶融金属の湯面レベルを検出し、
検出された湯面レベル信号に基づいて、ＰＩ制御によりタンディッシュに設けられたスライディングノズル開度指令を出力し、溶融金属の流入量の調整することによって溶融金属の湯面レベルを制御する連続鋳造機モールド内湯面レベル制御方法において、
複数のピンチロールのトルク信号を検出するトルク検出工程と、
前記湯面レベル信号に基づき、複数のピンチロールトルク信号の中から特定のピンチロールトルク信号を選択し、
該選択されたピンチロールトルク信号に基づき、前記開度指令に加算するための開度補正信号を演算・出力する信号処理工程と、
を有することを特徴とする連続鋳造機モールド内湯面レベル制御方法。
【請求項６】
請求項５に記載の連続鋳造機モールド内湯面レベル制御方法において、
前記信号処理工程は、湯面レベル信号から特定周期の非定常バルジング性湯面変動周波数を検出する湯面変動周波数検出工程と、
複数のピンチロールトルク信号から前記検出された湯面変動周波数成分を取り出すフィルタ工程と、
該取り出されたピンチロールトルク信号と前記湯面レベル信号の相関関数が最大となるピンチロールトルク信号を選択するピンチロールトルク信号選択工程と、
を有することを特徴とする連続鋳造機モールド内湯面レベル制御方法。
【請求項７】
請求項５または請求項６のいずれか１項に記載の連続鋳造機モールド内湯面レベル制御方において、
前記信号処理工程は、
前記選択されたピンチロールトルク信号に、位相調整およびゲイン乗算を行い前記開度指令に加算するための開度補正信号を演算・出力する開度補正信号演算工程を有することを特徴とする連続鋳造機モールド内湯面レベル制御方法。
【請求項８】
請求項５ないし請求項７のいずれか１項に記載の連続鋳造機モールド内湯面レベル制御方において、
前記信号処理工程は、
前記開度指令に加算するための開度補正信号の要否を判断し、出力することを特徴とする連続鋳造機モールド内湯面レベル制御方法。
【発明の詳細な説明】
【技術分野】
【０００１】
本発明は、連続鋳造機におけるモールド内の溶融金属の湯面レベルを制御する制御装置および方法に関するもので、特に定常鋳込み中のバルジング性湯面変動を低減できるようにした連続鋳造機モールド内湯面レベル制御装置および方法に関するものである。
【背景技術】
【０００２】
一般に、連続鋳造機におけるモールド内の溶融金属（以下、溶鋼と称する）の湯面レベルの制御を行なうことは、安定操業上のみならず、鋳片の品質確保上も重要なことである。
【０００３】
従来から、この種の連続鋳造機のモールド内湯面レベル制御としては、一般にＰＩ制御が多く用いられている。この場合、制御系は、凝固しつつ鋳型から引き抜かれて行く溶鋼と、スライディングノズルの開度に依存して鋳型に供給される溶鋼のマスバランスを平衡させることを目的として構成される。 
【０００４】
しかし、鋳型内の湯面変動は、ＰＩ制御でもこのマスバランスの乱れを十分に補償できない時に発生し、主たる原因は引き抜き流量変動にあると考えられている。そして、この引き抜き流量変動の最も大きなものが、非定常バルジング性湯面変動と称されるものである。引き抜きピンチロールの間の鋳片の凝固シェルに、何らかの原因で鋳片長手方向でのシェル厚さや温度のむらが生じた場合に、バルジングし凝固した部分がそのままの形状を保ちながら、２次冷却帯のピンチロールで断続的に圧縮されることによって引き抜き流量変動が発生すると言われている。
【０００５】
非定常バルジング部が発生すると、２次冷却帯を通過する際に鋳片引抜用のピンチロールにて圧縮されるため、引抜抵抗が変化することが知られており、例えば、特開平５−２７７６８８号公報（特許文献１）および特開平６−６１１号公報（特許文献２）といった技術の開示がある。これらは、鋳片の引抜抵抗と湯面レベル変動に相関があることを利用して、引抜抵抗の変化をスライディングノズル操作にフィードフォワードする方法である。
【特許文献１】特開平５−２７７６８８号公報
【特許文献２】特開平６−６１１号公報
【発明の開示】
【発明が解決しようとする課題】
【０００６】
しかしながら、特許文献１および特許文献２で示された方法は、いずれも引抜抵抗の変動を単純にスライディングノズル開度指令値にフィードフォワードする方法であるため、引抜抵抗変動に非定常バルジングに依存しない変動分が含まれていると、湯面レベル変動とは無関係なスライディングノズルの動きを発生させてしまい、かえって湯面レベル変動を発生させてしまうことになる。この湯面レベル変動の発生により、パウダー巻き込みによるスラブ品質低下および生産性の低下という問題が生じている。
【０００７】
本発明は上記事情に鑑みてなされたもので、引抜抵抗変動に非定常バルジングに依存しない変動分が含まれていても、湯面レベル変動を生じさせないような連続鋳造機モールド内湯面レベル制御装置および方法を提供することにある。
【課題を解決するための手段】
【０００８】
請求項１に記載の発明は、連続鋳造機のモールド内溶融金属の湯面レベルを検出する湯面レベル計と、検出された湯面レベル信号に基づいて、タンディッシュに設けられたスライディングノズルの開度指令を出力するＰＩ制御器と、その開度指令によりスライディングノズルの開度を調整するスライディングノズル制御器とを有する溶融金属の湯面レベルを制御するための連続鋳造機モールド内湯面レベル制御装置において、複数のピンチロールのトルク信号を検出するトルク検出器と、前記湯面レベル信号に基づき、複数のピンチロールトルク信号の中から特定のピンチロールトルク信号を選択し、該選択されたピンチロールトルク信号に基づき、前記開度指令に加算するための開度補正信号を演算・出力する信号処理装置と、を有することを特徴とする連続鋳造機モールド内湯面レベル制御装置である。
【０００９】
また請求項２に記載の発明は、請求項１に記載の連続鋳造機モールド内湯面レベル制御装置において、前記信号処理装置は、湯面レベル信号から特定周期の非定常バルジング性湯面変動周波数を検出する湯面変動周波数検出手段と、複数のピンチロールトルク信号から前記検出された湯面変動周波数成分を取り出すフィルタ手段と、該取り出されたピンチロールトルク信号と前記湯面レベル信号の相関関数が最大となるピンチロールトルク信号を選択するピンチロールトルク信号選択手段と、を有することを特徴とする連続鋳造機モールド内湯面レベル制御装置である。
【００１０】
また請求項３に記載の発明は、請求項１または請求項２のいずれか１項に記載の連続鋳造機モールド内湯面レベル制御装置において、前記信号処理装置は、前記選択されたピンチロールトルク信号に、位相調整およびゲイン乗算を行い、前記開度指令に加算するための開度補正信号を演算・出力する開度補正信号演算手段を有することを特徴とする連続鋳造機モールド内湯面レベル制御装置である。
【００１１】
また請求項４に記載の発明は、請求項１ないし請求項３のいずれか１項に記載の連続鋳造機モールド内湯面レベル制御装置において、前記信号処理装置は、前記開度指令に加算するための開度補正信号の要否を判断し、出力することを特徴とする連続鋳造機モールド内湯面レベル制御装置である。
【００１２】
また請求項５に記載の発明は、連続鋳造機のモールド内溶融金属の湯面レベルを検出し、検出された湯面レベル信号に基づいて、ＰＩ制御によりタンディッシュに設けられたスライディングノズル開度指令を出力し、溶融金属の流入量の調整することによって溶融金属の湯面レベルを制御する連続鋳造機モールド内湯面レベル制御方法において、複数のピンチロールのトルク信号を検出するトルク検出工程と、前記湯面レベル信号に基づき、複数のピンチロールトルク信号の中から特定のピンチロールトルク信号を選択し、該選択されたピンチロールトルク信号に基づき、前記開度指令に加算するための開度補正信号を演算・出力する信号処理工程と、を有することを特徴とする連続鋳造機モールド内湯面レベル制御方法である。
【００１３】
また請求項６に記載の発明は、請求項５に記載の連続鋳造機モールド内湯面レベル制御方法において、前記信号処理工程は、湯面レベル信号から特定周期の非定常バルジング性湯面変動周波数を検出する湯面変動周波数検出工程と、複数のピンチロールトルク信号から前記検出された湯面変動周波数成分を取り出すフィルタ工程と、該取り出されたピンチロールトルク信号と前記湯面レベル信号の相関関数が最大となるピンチロールトルク信号を選択するピンチロールトルク信号選択工程と、を有することを特徴とする連続鋳造機モールド内湯面レベル制御方法である。
【００１４】
また請求項７に記載の発明は、請求項５または請求項６のいずれか１項に記載の連続鋳造機モールド内湯面レベル制御方において、前記信号処理工程は、前記選択されたピンチロールトルク信号に、位相調整およびゲイン乗算を行い前記開度指令に加算するための開度補正信号を演算・出力する開度補正信号演算工程を有することを特徴とする連続鋳造機モールド内湯面レベル制御方法である。
【００１５】
さらに請求項８に記載の発明は、請求項５ないし請求項７のいずれか１項に記載の連続鋳造機モールド内湯面レベル制御方において、前記信号処理工程は、前記開度指令に加算するための開度補正信号の要否を判断し、出力することを特徴とする連続鋳造機モールド内湯面レベル制御方法である。
【発明の効果】
【００１６】
本発明は、非定常バルジングに起因する湯面変動を抑制することができるため、パウダー巻き込みによるスラブ品質低下を防止することができ、高品質のスラブ製造が可能である。また、湯面変動発生による鋳込み速度減速等の操業アクションが不要になることで、生産性向上にも寄与することができる。さらに、制御中にプロセスの状態変化により、選択したピンチロールトルク信号と湯面レベル信号に相関がなくなった場合にでも、最適なピンチロールトルク信号を再度選択することにより、定常鋳込み中のバルジング性湯面変動を効率的に大幅に低減することが可能となる。
【発明を実施するための最良の形態】
【００１７】
以下、本発明を実施するための最良の形態について、図面を用いて説明する。図１は、本発明を実施するための装置構成の一例を示す図である。図中、１は溶鋼、２はタンディッシュ、３は浸漬ノズル、４はモールド、５はシェル、６はスライディングノズル（以下、一部ＳＮと略記）、７は湯面、８は湯面レベル計、９はピンチロール（以下、一部Ｐ／Ｒと略記）、１０はピンチロール制御装置、１１はＰＩ制御器、１２はスライディングノズル制御装置、１３は信号処理装置、１４はトルク検出器、１５はアクチュエータをそれぞれ示している。
【００１８】
モールド４の上部にタンディッシュ２が配置され、そして、そのタンディッシュ底部にはスライディングノズル６が配置され、更に、スライディングノズル６の下面側には浸漬ノズル３が配置されている。タンディッシュ２内に満たされた溶鋼１は、スライディングノズル６、浸漬ノズル３を経てモールド４内へ注入される。
【００１９】
モールド４内へ注入された溶鋼１は、モールド側面より冷却されて、表面から凝固してシェル５を形成しつつ、ピンチロール９によって下方に引き抜かれ鋳片となる。この時、引抜速度は、ピンチロール制御装置１０によりほぼ一定に制御される。
【００２０】
モールド４内に注入される溶鋼量は、スライディングノズル６の開度により決まり、このスライディングノズル開度の調整は、スライディングノズル制御装置１２を介して油圧シリンダなどのアクチュエータ１５を駆動することにより行う。スライディングノズル開度制御は、モールド湯面レベルを検知する湯面レベル計から得られる信号と湯面レベル設定値の偏差信号に基づいて湯面レベルが一定になるように働くＰＩ制御器１１の出力と、後述する信号処理装置１３からの出力とが加算され、スライディングノズル制御装置１２に入力されスライディングノズル開度設定値を変更することで実現される。
【００２１】
次に、非定常バルジングについて説明をする。図２は、非定常バルジングの発生イメージを示す図である。鋳片引抜中、図２（a）のように凝固シェルが薄い場合には、溶鋼静圧に負けてピンチロールの間で凝固途中の鋳片が膨れるバルジングという現象が発生する。しかし、凝固シェルが何らかの原因で鋳片長手方向でのシェル厚さや温度のむらがあって、バルジングし凝固した部分がそのままの形状を保った場合、図２(b)のようにバルジング部分がピンチロールに乗り上げるようになり、それにより凝固シェルが内側に押されマスバランスが変化した分湯面レベルの上昇へと繋がる。鋳片引抜に従ってバルジング部分が再びピンチロール間に来れば、凝固シェルが内側に押されていた分が元にもどり、湯面レベルが下降する。これが非定常バルジングと呼ばれる現象である。この時、バルジング部がピンチロールに乗り上げたり元に戻ったりを繰り返すため、ピンチロールに引抜抵抗の変化が生じる。
【００２２】
非定常バルジングによる鋳片の引抜抵抗の変化は、ピンチロールトルク信号の変化として検出できる。そして、ピンチロールトルク信号は、ピンチロール駆動が直流機であれば電機子電流として、交流機であれば電機子電流または交流機の駆動装置内で演算されたトルクとして検出する。
【００２３】
ピンチロールトルクと湯面レベル変動には相関があるため、ピンチロールトルクの変化により湯面レベルの上昇・下降を予測できれば、事前に湯面レベル変動を抑制するようにＳＮ開度指令を補正することにより、湯面レベル変動を抑制することができる。これが、ピンチロールトルクによるフィードフォワード制御（以下、ＦＦ制御と呼ぶ）の考え方である。ＦＦ制御を実現するためには、先に述べたピンチロールトルク変動が湯面レベル変動と相関が高いことが必要であるとともに、ピンチロールトルク変動と湯面レベル変動の位相が適切であることも必要となる。
【００２４】
以下に、複数のピンチロールトルク信号からＦＦ制御に適したものを選択し、位相を調整した上でＦＦ制御を実施する方法について述べる。図３は、信号処理装置１３での処理フローの一例を示す図である。
【００２５】
まず、処理開始（S100）ステップにて、処理を開始する。そして、次のデータ蓄積（S101）ステップにて、図１の湯面レベル計８および複数のトルク検出器１４から、湯面レベル計信号および複数のピンチロールトルク信号を一定周期でサンプリングして、データとして蓄積する。
【００２６】
そして、ＦＦＴ処理（S102）ステップでは、蓄積したデータに対して高速フーリエ変換（以下、ＦＦＴと呼ぶ）を行い、時系列データを周波数成分に変換する。ピーク周波数検出（S103）ステップでは、前ステップで処理したデータの内、湯面レベルのスペクトルが最大となる周波数を検出する。この周波数が非定常バルジング周波数である。
【００２７】
フィルタ設計（S104）ステップでは、非定常バルジング周波数成分のみを通過させるバンドパスフィルタを形成する数値フィルタの設計を行う。複数のピンチロールトルク信号にフィルタをかけるためである。同一ピークを持つＰ／Ｒ選択（S105）ステップでは、複数のピンチロールトルク信号に対するＦＦＴ結果において、先に求めた非定常バルジング周波数でスペクトルが極大となっているかどうかの判定を行い、同一ピークを持つピンチロールトルク信号を選択する。同一ピークを持つピンチロールトルク信号は湯面変動と同じ変動成分を持っていると判定でき、以下の処理で利用する。
【００２８】
フィルタ処理（S106）ステップでは、前ステップで選択したピンチロールトルク信号に、フィルタ設計（S104）ステップで求めたフィルタを掛けて、ピンチロールトルク信号の非定常バルジング周波数成分を取り出す。相互相関関数の計算（S107）ステップでは、前ステップで取り出した信号と湯面レベル信号の時間軸をずらしながら相関係数を計算することで、相互相関関数を計算する。そして、相互相関関数の最大値と、その最大値を取る時間差から位相差θ2を求める。
【００２９】
相互相関関数＞閾値（S108）ステップでは、相互相関関数の最大値が予め決めておいた閾値より大きいピンチロールトルク信号があるかどうか判断をする。閾値より大きいものを、ピンチロールトルクＦＦ制御の候補とするためであり、対象となる信号がなければ、処理終了（S109）ステップで信号処理装置１３からの出力を０として処理を終了する。
【００３０】
閾値より大きいピンチロールトルク信号があれば、位相差計算（S110）ステップに進む。このステップでは、ピンチロールトルク信号と湯面レベルの位相差θ2と、ＳＮ開度補正信号uc〜湯面レベルの位相差θ1を求める。位相差θ2は、先の相互相関関数の計算（S107）ステップで求めた位相差を用いるが、位相差θ１について以下説明する。
【００３１】
図４は、本発明の制御系ブロック図の一例を示す図である。本発明は、湯面レベルのＰＩ制御器の出力に、ＳＮ開度補正信号ucとして加算するものである。湯面レベル変動を抑制するためには、湯面レベル信号と相関のある信号を適切な位相でＳＮ開度補正信号ucを加える必要がある。ＳＮ開度補正信号uc〜湯面レベルの位相差θ1は、図４で示すように途中のＳＮ動特性、ＳＮ流量特性、モールド特性、および湯面レベルセンサ特性を同定して、ボード線図から求めることが出来る。そして、位相調整のために、θ2>θ1の時はθ2−θ1だけ、位相調整器により位相を遅らせればよい。
【００３２】
図３の説明に戻り、Ｐ／Ｒトルク信号選択（位相）（S111）ステップでは、これまでにピンチロールトルクＦＦ制御の候補となったピンチロールトルク信号の中で、θ2>θ1となるものを選択し、更なるピンチロールトルクＦＦ制御の候補とする。
【００３３】
さらに、Ｐ／Ｒトルク信号選択（相関関数）（S112）ステップでは、絞った候補の中から相関関数の最大値が最大となるピンチロールトルク信号を湯面レベル制御にフィードフォワードするピンチロールトルク信号として最終的に選択する。
【００３４】
そして、ゲイン乗算（S113）ステップで、最終選択されたピンチロールトルク信号に前述の位相調整およびゲイン乗算を行い、ＳＮ開度補正信号ucとして出力する。なお、ゲインとしては、相関関数が大きい場合は問題ないが、相関関数が小さい場合はＦＦ制御により逆に外乱を発生させることになるため、ゲインを小さくした方がよい。上述の信号を出力して、信号処理装置の処理フローとしては、処理終了（S113）ステップで、すべての処理を終了する。
【実施例１】
【００３５】
鋳造速度１．８〜２．５ｍ／ｍｉｎの低炭素鋼用連続鋳造機において、本発明を適用した実施例の一例を以下に示す。製造している鋳片の寸法は、幅７００〜１６００ｍｍ、厚み２３５ｍｍである。
【００３６】
図５は、左側に上から順に、湯面レベル（ａ）、Ｐ／Ｒトルク１（ｂ）、Ｐ／Ｒトルク２（ｃ）、Ｐ／Ｒトルク３（ｄ）、Ｐ／Ｒトルク４（ｅ）の時系列信号を、さらに右側に、それぞれのＦＦＴ処理後のパワースペクトルを示している。Ｐ／Ｒトルク信号（ｂ）〜（ｅ）は、モールドに近い順に４つのＰ／Ｒのトルク信号を選択している。図５（ａ）の湯面レベルを見れば、０．１１７Hｚにスペクトルのピーク周波数（非定常バルジング周波数）があり、同一のピーク周波数を有するＰ／Ｒトルク信号は、（ｂ）〜（ｄ）の３信号であり、（ｅ）については同一のピーク周波数を確認できない。したがって、以後の処理から（ｅ）のＰ／Ｒトルク信号をはずし、（ｂ）〜（ｄ）の３つのＰ／Ｒトルク信号を用いる。
【００３７】
図６は、上から湯面レベル（ａ）および図５のＰ／Ｒトルク信号（ｂ）〜（ｄ）に対して、非定常バルジング周波数成分のみを取り出すフィルタをかけた信号をそれぞれ（ｂ）〜（ｄ）に示す。
【００３８】
図７は、図６（ａ）湯面レベルとフィルタ後のＰ／Ｒトルク信号である図６（ｂ）〜（ｄ）との相関関数および位相差を計算した結果である。図７（ｂ）〜（ｄ）は、相関関数の最大値が、それぞれ０．８８、０．９２、および０．７８であり、さらに最大値をとる点の湯面レベル信号との位相差θ２が、それぞれ１６０度、１２０度、および１９０度であることを示している。この実施例では、相関関数の最大値の閾値として、０．５を採ったため、図７（ｂ）〜（ｄ）の３つのＰ／Ｒトルク信号すべてが選択されている。そして、前述したＳＮ開度補正信号uc〜湯面レベルの位相差θ1が、この実施例では４０度と計算されるため、
θ2−θ1> ０という位相差判定条件でのＰ／Ｒトルク選択の結果を、図７の中ほどに示している。この例では、３つのＰ／Ｒトルク信号すべてが条件を満足していることを示している。さらに最終的に、相関関数の最大値が一番大きい（０．９２）Ｐ／Ｒトルク信号（ｃ）を選んでいる。
【００３９】
そして、図８は、選択したＰ／Ｒトルク信号（ｃ）を用いた制御結果を表わす図である。モールドレベル信号とＳＮ開度補正信号を時系列で表わしており、８１０秒以降に、本発明による制御を実施した様子を示している。本発明の適用により、モールド湯面レベルの変動を、２０ｍｍから１０ｍｍ程度に抑えることができていることが分かる。
【実施例２】
【００４０】
上述のように、一度最適なピンチロールを選択してＦＦ制御を実施した場合には、ＦＦ制御した結果が湯面レベル信号に現れるため湯面レベル信号と選択されているピンチロールトルク信号との相関は小さくなってしまう。そのため、プロセスの状態が変化して選択したピンチロールトルク信号によるＦＦ制御の効果が小さくなり、他のピンチロールトルク信号を選択した方がいい場合でも、その判断ができなくなってしまう。
【００４１】
そのピンチロールトルク信号をＳＮ開度指令にフィードフォワードしたＳＮ開度補正信号とし、その信号により湯面レベルがどのように動くか、実際の湯面レベル信号を求め（あるいは、測定値でも良い）、その実際の湯面レベル信号からＳＮ開度補正信号を引くことにより、フィードフォワードしていない時の湯面レベル信号を演算する。図９は、上述のフィードフォワードしていない時の湯面レベル信号を求める演算ブロックの一例を示す図である。ＳＮ開度補正信号ucに、同定したＳＮ動特性、ＳＮ流量特性、モールド特性、および湯面レベルセンサ特性を演算させたものを、実際の湯面レベル信号から引くことにより、フィードフォワードしていない時の湯面レベル信号、すなわちＳＮ開度補正なし時の湯面レベルが演算される。この演算した湯面レベル信号と選択しているピンチロール信号の相関を取り、選択しているピンチロールを継続して使用するかどうかの判断をすることにより、最適なピンチロール信号を選択することができ、選択したピンチロール信号によるフィードフォワード制御が実現できる。
【図面の簡単な説明】
【００４２】
【図１】本発明を実施するための装置構成の一例を示す図である。
【図２】非定常バルジングの発生イメージを示す図である。
【図３】処理フローの一例を示す図である。
【図４】本発明の制御系ブロック図の一例を示す図である。
【図５】実施例の一例（時系列信号とFFT結果）を示す図である。
【図６】図５のＰ／Ｒトルク信号に対してフィルタをかけた信号を示す図である。
【図７】相関関数および位相差を計算した結果および選択を示す図である。
【図８】本発明による制御結果を示す図である。
【図９】フィードフォワードしていない時の湯面レベル信号を求める演算ブロックの一例を示す図である。
【符号の説明】
【００４３】
１   溶鋼
２   タンディッシュ
３   浸漬ノズル
４   モールド
５   シェル
６   スライディングノズル
７   湯面
８   湯面レベル計
９   ピンチロール
１０ ピンチロール制御装置
１１ ＰＩ制御器
１２ スライディングノズル制御装置
１３ 信号処理装置
１４ トルク検出器
１５ アクチュエータ
【図１】
2005305544.tif 000003
【図２】
2005305544.tif 000004
【図３】
2005305544.tif 000005
【図４】
2005305544.tif 000006
【図５】
2005305544.tif 000007
【図６】
2005305544.tif 000008
【図７】
2005305544.tif 000009
【図８】
2005305544.tif 000010
【図９】
2005305544.tif 000011